(57)【要約】【課題】操作框の操作時には取っ手の把持部と操作框との間隔を確保しながら、取っ手及び操作框の無用な大型化を防止して美観の向上を図り得る間仕切り装置の取っ手を提供する。【解決手段】操作框３の側面に設けられた取っ手６の操作により、蛇腹状に伸縮する間仕切り部材を引き出し、あるいは畳み込み可能とした間仕切り装置において、取っ手６を平行四節リンクで構成して、該取っ手６の把持部９を操作框３に対し平行状態を維持しながら接離可能とした。【選択図】図２
0003154601.tif 000002
【実用新案登録請求の範囲】
【請求項１】
操作框の側面に設けられた取っ手の操作により、蛇腹状に伸縮する間仕切り部材を引き出し、あるいは畳み込み可能とした間仕切り装置において、
前記取っ手を平行四節リンクで構成して、該取っ手の把持部を前記操作框に対し平行状態を維持しながら接離可能としたことを特徴とする間仕切り装置の取っ手。
【請求項２】
前記操作框に一対の基台部を取着し、前記基台部に一対のアームの基端部をそれぞれ回動可能に支持し、前記把持部の両端部を前記各アームの先端部に回動可能に連結して平行四節リンクを構成したことを特徴とする請求項１記載の間仕切り装置の取っ手。
【請求項３】
前記アームは、前記基台部から水平方向に延びる状態から上方へ向かってのみ回動可能としたことを特徴とする請求項２記載の間仕切り装置の取っ手。
【請求項４】
前記アームには、該アームを水平方向及び垂直方向にのみ保持する保持手段を備えたことを特徴とする請求項２又は３記載の間仕切り装置の取っ手。
【請求項５】
前記保持手段は、
前記基台部に設けたカム部と、
前記アーム内に移動可能に支持されて前記カム部に当接する押圧部材と、
前記アームを支点として前記押圧部材を前記カム部に押圧するコイルスプリングと
を備えたことを特徴とする請求項４記載の間仕切り装置の取っ手。
【請求項６】
前記アームは、その先端が前記操作框が当接する柱面から遠ざかる方向に斜めに延びるように前記基台部に支持したことを特徴とする請求項２乃至５のいずれか１項に記載の間仕切り装置の取っ手。
【請求項７】
前記把持部には、該把持部を前記操作框に沿って畳み込むとき、前記アームを収容する凹部を備えたことを特徴とする請求項２乃至６のいずれか１項に記載の間仕切り装置の取っ手。
【考案の詳細な説明】
【技術分野】
【０００１】
この考案は、アコーデオンカーテンや折戸等の間仕切り装置の取っ手に関するものである。
【背景技術】
【０００２】
アコーデオンカーテンは、蛇腹状に伸縮可能としたカーテン生地を壁面間で引き出し、あるいは一方の壁面側に畳み込んで、室内空間を適宜に区画するものである。カーテン生地の引き出し操作及び畳み込み操作は、例えば操作框に設けられた取っ手を把持して同移動框をハンガーレールに沿って移動させることにより行われる。
【０００３】
このようなアコーデオンカーテンでは、操作框を全閉状態まで引き出したとき、取っ手が壁面等に近接して位置するので、取っ手を握り辛いという問題点がある。
特許文献１には、走行棹に取っ手を水平方向に回動可能に支持して操作性及び収納性を向上させる構成が開示されている。
【０００４】
特許文献２には、水平取っ手を開き戸に対し弾性変形可能として壁の損傷を防止する構成が開示されている。
特許文献３には、引き戸の取っ手を開閉方向と平行に回動させて、操作力の軽減及び全閉時の戻りを防止する構成が開示されている。
【先行技術文献】
【特許文献】
【０００５】
【特許文献１】実公平６−３６１９９号
【特許文献２】特開２００４−２０１７２９号
【特許文献３】特開２００３−２１４０１０号
【考案の概要】
【考案が解決しようとする課題】
【０００６】
上記のようなアコーデオンカーテンでは、美観を向上させるために、操作框及び取っ手を小型化することが望ましい。
しかし、取っ手の把持部と操作框との間隔が狭いと、全閉時には取っ手と壁面との間隔も狭いため、取っ手を把持しにくくなる。
【０００７】
そこで、取っ手の把持部を把持し易くするために、その把持部と操作框との間隔を十分に確保すると、取っ手が大型化して美観上好ましくないとともに、カーテン生地を畳み込んだとき、取っ手と蛇腹状に畳まれるカーテン生地とが干渉するという問題点がある。
【０００８】
また、操作框が小型化されているため、不操作時に取っ手を操作框に収納する構成を採用することもできない。
この考案の目的は、操作框の操作時には取っ手の把持部と操作框との間隔を確保しながら、取っ手及び操作框の無用な大型化を防止して美観の向上を図り得る間仕切り装置の取っ手を提供することにある。
【課題を解決するための手段】
【０００９】
請求項１では、操作框の側面に設けられた取っ手の操作により、蛇腹状に伸縮する間仕切り部材を引き出し、あるいは畳み込み可能とした間仕切り装置において、前記取っ手を平行四節リンクで構成して、該取っ手の把持部を前記操作框に対し平行状態を維持しながら接離可能とした。
【００１０】
請求項２では、前記操作框に一対の基台部を取着し、前記基台部に一対のアームの基端部をそれぞれ回動可能に支持し、前記把持部の両端部を前記各アームの先端部に回動可能に連結して平行四節リンクを構成した。
【００１１】
請求項３では、前記アームは、前記基台部から水平方向に延びる状態から上方へ向かってのみ回動可能とした。
請求項４では、前記アームには、該アームを水平方向及び垂直方向にのみ保持する保持手段を備えた。
【００１２】
請求項５では、前記保持手段は、前記基台部に設けたカム部と、前記アーム内に移動可能に支持されて前記カム部に当接する押圧部材と、前記アームを支点として前記押圧部材を前記カム部に押圧するコイルスプリングとを備えた。
【００１３】
請求項６では、前記アームは、その先端が前記操作框が当接する柱面から遠ざかる方向に斜めに延びるように前記基台部に支持した。
請求項７では、前記把持部には、該把持部を前記操作框に沿って畳み込むとき、前記アームを収容する凹部を備えた。
【考案の効果】
【００１４】
本考案によれば、操作框の操作時には取っ手の把持部と操作框との間隔を確保しながら、取っ手及び操作框の無用な大型化を防止して美観の向上を図り得る間仕切り装置の取っ手を提供することができる。
【図面の簡単な説明】
【００１５】
【図１】アコーデオンカーテンを示す平面図である。
【図２】（ａ）（ｂ）は第一の実施形態を示す構成図である。
【図３】（ａ）（ｂ）は第一の実施形態の動作を示す説明図である。
【図４】（ａ）（ｂ）は第一の実施形態の動作を示す説明図である。
【図５】第二の実施形態を示す正面図である。
【図６】第二の実施形態の動作を示す正面図である。
【図７】第二の実施形態の動作を示す正面図である。
【考案を実施するための形態】
【００１６】
（第一の実施形態）
以下、この考案を具体化したアコーデオンカーテンの取っ手の第一の実施形態を図面に従って説明する。
【００１７】
図１に示すアコーデオンカーテンは、パンタグラフ状に伸縮する骨組み１の前後両側に表面材２が取着されて間仕切り部材が構成され、その骨組み１の一端の支軸１ａに操作框３が相対回動可能に取着され、他端の支軸１ｂに固定框４が相対回動可能に取着されている。
【００１８】
前記固定框４は壁面５に固定され、前記操作框３の前後両面における上下方向中央部には取っ手６が取着されている。
前記骨組み１は複数のランナーを介してハンガーレール（図示しない）に移動可能に吊下支持され、取っ手６を操作することにより、図１に示すように操作框３が対向する柱面１５に当接している状態から固定框４近傍までの範囲でハンガーレールに沿って移動操作可能となっている。そして、操作框３の移動操作により、間仕切り部材が伸縮される。
【００１９】
次に、前記取っ手６の具体的構成を説明する。図２に示すように、取っ手６は前記操作框３に所定間隔を隔てて固定される基台部７ａ，７ｂにアーム８ａ，８ｂの基端部が回動可能に支持されている。また、図２（ｂ）に示すように、アーム８ａ，８ｂはその先端が柱面１５から遠ざかるように、基台部７ａ，７ｂに対し斜めに支持されている。
【００２０】
前記アーム８ａ，８ｂの先端部は、把持部９の上下両端部に回動可能に支持され、両アーム８ａ，８ｂが互いに平行となる状態を維持しながら回動するようになっている。従って、アーム８ａ，８ｂと把持部９とで、平行四節リンクが構成されている。
【００２１】
前記アーム８ａにはその長手方向に収容溝１０が設けられ、その収容溝１０内にコイルスプリング１１が配設されている。前記コイルスプリング１１の一端は収容溝１０の側壁に当接し、他端はＬ型の押圧部材１２に当接している。
【００２２】
前記アーム８ａの基端部は、前記基台部７ａに設けられた断面方形のカム部１３に回動可能に支持され、図２（ａ）に示すように、前記アーム８ａ，８ｂが水平方向に延びるとき、前記押圧部材１２はコイルスプリング１１の付勢力によりカム部１３の側面に押圧されている。
【００２３】
そして、図３（ａ）に示すように、アーム８ａ，８ｂが上方へ４５度回転されると、押圧部材１２はカム部１３の角部に乗り上げてコイルスプリング１１が圧縮され、さらにアーム８ａ，８ｂが同方向へ回動されると、図４（ａ）に示すように、押圧部材１２がカム部１３の上面に当接する状態となる。従って、コイルスプリング１１、押圧部材１２及びカム部１３により、アーム８ａを水平方向あるいは垂直方向に保持する保持手段が構成される。
【００２４】
前記把持部９の上下両端部には、前記アーム８ａ，８ｂを収容可能とした凹部１４が形成され、図４（ａ）に示すように、アーム８ａ，８ｂが垂直方向に回動されると、そのアーム８ａ，８ｂが凹部１４内に収容されるようになっている。
【００２５】
また、把持部９の上端は前記アーム８ａの先端部を覆うように湾曲しているので、図２（ａ）に示すようにアーム８ａ，８ｂが水平方向に延びる状態からさらに下方へ回動することはできないようになっている。
【００２６】
次に、上記のように構成された取っ手６の動作を説明する。
操作框３を移動操作する時には、図４（ａ）に示す状態から把持部９を下方へ引いてアーム８ａ，８ｂを回動させる。すると、図２（ａ）（ｂ）に示すように、アーム８ａ，８ｂが水平方向に延びる状態まで回動される。この状態では、把持部９が操作框３から離れた状態となり、把持部９を確実に掴んで操作框３の移動操作を行うことができる。
【００２７】
操作框３を所望位置まで移動操作した後は、把持部９を上方へ押し上げて、アーム８ａ，８ｂを上方へ回動させる。このとき、図３（ａ）に示す状態では押圧部材１２がカム部１３の角部に乗り上げてコイルスプリング１１が圧縮され、さらにアーム８ａ，８ｂを同方向へ回動させると、押圧部材１２が角部を乗り越え、コイルスプリング１１の付勢力により押圧部材１２がカム部１３の上面に当接する状態に保持される。
【００２８】
すると、把持部９は、図３（ｂ）に示す状態から図４（ｂ）に示すように、操作框３の側面に近接する状態に保持される。
上記のように構成されたアコーデオンカーテンの取っ手６では、次に示す作用効果を得ることができる。
（１）取っ手６を操作することにより操作框３を移動させて、アコーデオンカーテンをハンガーレールに沿って引き出し、あるいは畳み込むことができる。
（２）操作框３を移動操作するとき、把持部９を下方へ引いてアーム８ａ，８ｂを下方へ回動させることにより、アーム８ａ，８ｂを回動させて、把持部９と操作框３との間隔を拡げることができる。従って、把持部９を握り易くなり、操作框３の移動操作を容易に開始することができる。
（３）操作框３が柱面１５に当接している状態から、間仕切り部材を畳み込むとき、把持部９と操作框３との間隔を拡げると、把持部９が柱面１５から離れる方向に移動するため、把持部９を握り易くなり、操作框３の移動操作を容易に開始することができる。
（４）操作框３の移動操作を終了した後は、把持部９を上方へ押し上げてアーム８ａ，８ｂを上方へ回動させることにより、把持部９と操作框３との間隔を縮小することができる。従って、取っ手６の不操作時には取っ手６を操作框３に近接する位置に畳み込んで美観の向上を図ることができる。
（５）取っ手６を操作框３内に収納することなく畳み込むことができるので、操作框３の大型化を防止することができる。
（６）把持部９を上方へ押し上げて取っ手６を畳み込むようにしたので、操作者が把持部９を意図的に上方へ押し上げない限り、取っ手６を畳み込むことはできない。従って、把持部９とアーム８ａ，８ｂとの間に指を挟むおそれはない。
（７）把持部９を操作框３に向かって畳み込むとき、アーム８ａ，８ｂを凹部１４に収容することができる。従って、取っ手６を畳み込むとき、アーム８ａ，８ｂの露出を防止して、美観を向上させることができる。
（第二の実施形態）
図５〜図７は、第二の実施形態を示す。前記実施形態は、アーム８ａ，８ｂを上方へ回動させて把持部９を操作框３に近接する位置に畳み込むようにしたが、この実施形態はアームを下方へ回動させて把持部を畳み込むようにしたものである。前記実施形態と同一構成部分は同一符号を付して説明する。
【００２９】
この実施形態は、基台部７ａ，７ｂ、アーム８ａ，８ｂ及び把持部９からなる取っ手を前記第一の実施形態に対し、上下方向に逆方向に取着したものである。従って、図５に示すように把持部９を引き出した状態から、把持部９を下方へ引いてアーム８ａ，８ｂを下方へ回動させると、図６に示す状態を経て、図７に示すように把持部９が操作框３に近接する位置に畳み込まれる。
【００３０】
また、図７に示す状態から、把持部９を上方へ押し上げれば、アーム８ａ，８ｂが上方へ回動されて、把持部９が操作框３から離間する。
このような構成により、操作框３の移動操作時及び把持部９の畳み込み時には、第一の実施の形態と同様な作用効果を得ることができる。
【００３１】
上記実施形態は、以下の態様で実施してもよい。
・前記各実施形態の取っ手を折り戸の取っ手として使用してもよい。
・把持部９を畳み込んだ状態で、磁石により保持可能とすれば、コイルスプリング１１及び押圧部材１２を省略してもよい。
【符号の説明】
【００３２】
３…操作框、６…取っ手、７ａ，７ｂ…基台部、８ａ，８ｂ…アーム、９…把持部、１１…保持手段（コイルスプリング）、１２…保持手段（押圧部材）、１３…保持手段（カム部）、１５…柱面。
【図１】
0003154601.tif 000003
【図２】
0003154601.tif 000004
【図３】
0003154601.tif 000005
【図４】
0003154601.tif 000006
【図５】
0003154601.tif 000007
【図６】
0003154601.tif 000008
【図７】
0003154601.tif 000009